(57)【要約】【課題】排水管からの採水が容易で、電気制御系に不具合が生じた場合でも機体内の残水沸騰の危険性が無く、更に機体内での雑菌の繁殖を防ぐ構造を有するアルカリイオン整水器を提供することを目的とする。【解決手段】本発明は、排水口先端の垂直方向の位置が、使用者の状況に関係無く固定されるように、排水路の最後に排水管１１−１を備え、その排水管１１−１を本体底部に固定できる手段を備えた構成とし、排水が採水しやすく、且つ使用者の設置状況に拠らず、電解槽内部の水を確実に排水できるようにした。【選択図】図１
2005211744.tif 000002
【特許請求の範囲】
【請求項１】
供給された原水を電気分解してアルカリ水及び酸性水を生成する電解槽と、前記電解槽と繋がって機体外に電気分解されたアルカリ水及び酸性水を吐出する吐水路及び排水路と、前記電解槽への通電を制御する電気制御部とから構成されるアルカリイオン整水器であって、前記電解槽の排水路に排水管を取り付けて、前記排水管を本体底部に固定可能としたことを特徴とするアルカリイオン整水器。
【請求項２】
請求項１記載のアルカリイオン整水器であって、前記排水管の排水口の垂直方向の位置が、少なくとも前記電解槽内に配置される電極板の最下位置よりも下に位置するように取り付けられる構造を有することを特徴とするアルカリイオン整水器。
【請求項３】
請求項１記載のアルカリイオン整水器であって、前記排水管の排水口の垂直方向の位置が、少なくとも前記電解槽内の水路の最下位置よりも下に位置するように取り付けられる構造を有することを特徴とするアルカリイオン整水器。
【請求項４】
請求項１〜３記載のアルカリイオン整水器であって、前記電解槽の排水路先端が本体底部の左右或いは前後或いはその両方の中心に位置するよう設置されていることを特徴とするアルカリイオン整水器。
【請求項５】
請求項１〜３記載のアルカリイオン整水器であって、前記排水管に至る水通路が、前記電解槽の排水路先端と伸縮可能なホースと前記排水管とこれらを繋ぐ継手で構成されることを特徴とするアルカリイオン整水器。
【請求項６】
請求項１〜３記載のアルカリイオン整水器であって、前記排水管に至る水通路が、前記電解槽の排水路先端とホースと前記排水管とこれらを繋ぐ継手で構成され、前記ホースが本体底部に屈曲して収納されていることを特徴とするアルカリイオン整水器。
【請求項７】
請求項６記載のアルカリイオン整水器であって、前記ホースの内側にスプリングを入れたことを特徴とするアルカリイオン整水器。
【請求項８】
請求項７記載のアルカリイオン整水器であって、前記スプリングが自然長状態で隙間の無い密着巻きであることを特徴とするアルカリイオン整水器。
【発明の詳細な説明】
【技術分野】
【０００１】
本発明は、水道水等の原水を電気分解して、飲用、医療用として利用するアルカリイオン水及び化粧水、殺菌洗浄水等として利用する酸性イオン水を製造するためのアルカリイオン整水器に関するものである。
【背景技術】
【０００２】
近年、連続電解方式のイオン生成器としてアルカリイオン整水器が普及している。このアルカリイオン整水器は電解槽内で水道水等を電気分解して、陽極側に酸性水を生成し、陰極側にアルカリ水を生成するものである（例えば特許文献１参照）。
【０００３】
以下、従来の連続電解方式のアルカリイオン整水器について説明する。図８は従来のアルカリイオン整水器の概略構造図である。図８において、１は水道水等の原水管、２は水栓、３は水栓２を介して原水管１と接続されたアルカリイオン整水器本体、４は内部に原水中の残留塩素、トリハロメタン、カビ臭等を吸着する活性炭及び一般細菌や不純物を精度よく取り除く中空糸膜等を備えた浄水部、５は通水量に対応したパルス数（出力信号数）の信号を発生してコントローラに制御指示する流量検知手段、６はグリセロリン酸カルシウムや乳酸カルシウム等のカルシウムイオンを原水中に付与し原水導伝率を高めるカルシウム供給部、７は流量検知手段５を経由してきた水を電気分解してアルカリ水、酸性水を生成する電解槽、８は電解槽７を２分し、電極室を形成する隔膜、９及び１０は隔膜８で２分されて形成された各電極室に配置された電極板、１１は電極板１０側の水（電極板１０が陽極の場合は酸性水）を排出する排水ホース、１２は電極板９側の水（電極板９が陰極の場合はアルカリ水）を吐出する吐水管、１３は電源投入用プラグ、１４は電源投入用プラグ１３からの交流電源を直流電源に変換する電源部、１５はアルカリイオン整水器本体３の動作を制御するコントローラ、１６は利用者がイオン水の水質やｐＨ強度、各種機能の選択設定を行なう操作表示部でありコントローラ１５に接続されている。
【０００４】
次に、以上のように構成された従来のアルカリイオン整水器について、以下そのアルカリ水を生成する際の動作を説明する。利用者はアルカリ水生成モード、酸性水生成モードまたは浄水モード等所望の水質モードおよびｐＨ強度を操作表示部１６の所定のボタンを押下することにより選択し、水栓２を開いて通水を行なう。水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解が容易な水に処理された後、電解槽７に導入される。一方、電源投入用プラグ１３からはＡＣ１００Ｖが供給され、電源部１４内のトランス及び制御用直流電源で電気分解に必要な直流電圧電流を発生させ、コントローラ１５を介して電解槽７の電極板９及び１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。尚、アルカリ水生成モード時においては電極板１０が陽極となり、電極板９が陰極となる。また酸性水生成モード時においては電極板９が陽極となり、電極板１０が陰極となる。
【０００５】
さて、通水後コントローラ１５は流量検知手段５からの出力信号を読み取り、単位時間当たりにアルカリイオン整水器本体３に流れる流量レベルが一定量を越えるとこの状態を通水中と判断する。この時、すでに選択されている水質モードおよびｐＨ強度に応じた電気分解条件のもとコントローラ１５は電解槽７に対して所定の電力を供給する。これにより、アルカリ水生成モード時においては電極板９が陰極かつ電極板１０が陽極となり吐水管１２よりアルカリ水が吐出されると共に排水ホース１１より排水を排出する。酸性水生
成モード時においては電極板９が陽極かつ電極板１０が陰極となり吐水管１２より酸性水が吐出されると共に排水ホース１１より排水を排出する。また、浄水モード時においては電極板９及び１０には電力が供給されず吐水管１２より浄水が吐出されると共に排水ホース１１より排水を排出する。その後、単位時間当たりにアルカリイオン整水器本体に流れる流量レベルが一定量を下回るとこの状態を止水と判断し、電解槽７への電力の供給を終了する。
【特許文献１】特開平７−２２２９８１号公報
【発明の開示】
【発明が解決しようとする課題】
【０００６】
従来のアルカリイオン整水器においては、排水ホース１１は、その使用形態として、流し台のシンク内に前記排水ホース１１を垂らすものであった。しかしながら、シンク内に前記排水ホース１１を垂らした場合、前記排水ホース１１からの水を採水し難いという課題があった。
【０００７】
また、前記排水ホース１１の先端の垂直方向位置が固定されていないため、吐水と排水の流量比率と、それに伴う吐水、排水のｐＨが、使用者の前記排水ホース設置状況、位置によって変化していた。
【０００８】
更に、前記排水ホースの先端の垂直方向位置が電解槽７内の電極板１０の最下位置よりも上方に設置された場合には、止水後に電解槽７内の水が完全には排出されなくなり、少なくとも電極板１０の下部は常に水に触れていた。これにより、制御系等の故障で電極板１０に電力が供給された場合、前述の残った水が電解槽７内で沸騰する危険性があった。又、前記排水ホースの先端の垂直方向位置が電解槽７内の電極板１０の最下位置よりも下方で且つ電解槽７内の水路の最下位置よりも上方に設置された場合にも、止水後の電解槽７内の水は完全には排出されない。この場合、その残った水は、電極板１０にも触れていないため、雑菌繁殖を防ぐ次亜塩素酸イオンを電気分解で生成させることができない。よって、電解槽７内に雑菌が繁殖する可能性があり問題を有していた。
【０００９】
そこで本発明は、排水路からの水の取り出しが容易で、電気制御系に不具合が生じた場合でも機体内の残水沸騰の危険性が無く、更に機体内での雑菌の繁殖を防ぐ構造を有するアルカリイオン整水器を提供することを目的とする。
【課題を解決するための手段】
【００１０】
この課題を解決するために本発明は、排水口先端の垂直方向の位置が、使用者の状況に関係無く固定されるように、排水路の最後に排水管を備え、その排水管を本体底部に固定できる手段を備えた構成としたものである。
【発明の効果】
【００１１】
本発明は、排水が採水しやすく、且つ使用者の設置状況に拠らず、電解槽内部の水を確実に排水できる事で、本体内の残水の沸騰や雑菌の繁殖を防ぐことのできるアルカリイオン整水器が得られる。
【発明を実施するための最良の形態】
【００１２】
本発明の請求項１に記載の発明は、供給された原水を電気分解してアルカリ水及び酸性水を生成する電解槽と、電解槽と繋がって機体外に電気分解されたアルカリ水及び酸性水を吐出する吐水路及び排水路と、電解槽への通電を制御する電気制御部とから構成されるアルカリイオン整水器であって、電解槽の排水路に排水管を取り付けて、排水管を本体底部に固定可能としたことを特徴とするアルカリイオン整水器であり、吐水管から吐水される水のみでなく、排水管から排出される水も採水が容易になることと、更に排水口の先端
の垂直方向の位置が使用者の状況に関係無く固定されるため、吐水管の吐水口先端部の垂直方向の位置を固定すると、給水の流量が一定であれば、吐水と排水の流量比率は一定とすることが出来、常に安定した水量で、安定したｐＨの水を採水することが可能となるアルカリイオン整水器を提供できるという作用を有する。
【００１３】
請求項２に記載の発明は、排水管の排水口先端の垂直方向の位置が、少なくとも電解槽内に配置される電極板の最下位置よりも下に位置するように取り付けられる構造を有することを特徴とする請求項１記載のアルカリイオン整水器であって、未使用状態時に電気制御の故障等で電極板に電力が供給される状態になった場合でも、通電にはならないため、残り水の沸騰等による事故を防ぐことが可能な安全なアルカリイオン整水器を提供でるという作用を有する。
【００１４】
請求項３に記載の発明は、排水管の排水口先端の垂直方向の位置が、少なくとも電解槽内の水路の最下位置よりも下に位置するように取り付けられる構造を有することを特徴とする請求項１記載のアルカリイオン整水器であって、排水口先端部の垂直方向の位置が電解槽の水路の最下位置よりも下方に設置されることで、電解槽内の水が排水されてしまうため、未使用状態時に電解槽内で雑菌が繁殖すること、更には繁殖した水が吐水管から吐出することを防ぐことが可能な安全なアルカリイオン整水器を提供できるという作用を有する。
【００１５】
請求項４に記載の発明は、電解槽の排水路先端が本体底部の左右或いは前後或いはその両方の中心に位置するよう設置されていることを特徴とする請求項１〜３記載のアルカリイオン整水器であって、使用者は、構成部品を交換することなく本機体の左右、前後どちらにも排水管を配置させることが可能となるアルカリイオン整水器を提供できるという作用を有する。
【００１６】
請求項５に記載の発明は、排水管に至る水通路が、電解槽の排水路先端と伸縮可能なホースと排水管とこれらを繋ぐ継手で構成されることを特徴とする請求項１〜３記載のアルカリイオン整水器であって、使用者は、構成部品を交換することなく本機体の左右、前後どちらにも排水管を配置させることが可能となるアルカリイオン整水器を提供できるという作用を有する。
【００１７】
請求項６に記載の発明は、排水管に至る水通路が、電解槽の排水路先端とホースと排水管とこれらを繋ぐ継手で構成され、ホースが本体底部に屈曲して収納されていることを特徴とする請求項１〜３記載のアルカリイオン整水器であって、使用者は、構成部品を交換することなく本機体の左右、前後どちらにも排水管を配置させることが可能となるアルカリイオン整水器を提供できるという作用を有する。
【００１８】
請求項７に記載の発明は、ホースの内側にスプリングを入れたことを特徴とする請求項６記載のアルカリイオン整水器であって、ホースの屈曲率を小さくして本体底部に収納しても、排水ホースが潰れないアルカリイオン整水器を提供できるという作用を有する。
【００１９】
請求項８に記載の発明は、スプリングが自然長状態で隙間の無い密着巻きであることを特徴とする請求項７記載のアルカリイオン整水器であって、ホースの屈曲率を小さくして本体底部に収納しても、排水ホースが潰れない且つ、ホース内の通水抵抗が低いアルカリイオン整水器を提供できるという作用を有する。
【００２０】
以下、本発明の実施例について、図１を用いて説明する。
【００２１】
（実施例１）
以下、本発明の実施例１について、図１を用いて説明する。図１は本発明の実施例１におけるアルカリイオン整水器の概略図である。図１において、従来例の説明で用いた符号と同一符号のものは本実施例１の形態においても基本的に同一であるため、詳細な説明は従来のアルカリイオン整水器の説明に譲って省略する。
【００２２】
図１に示すように１は水道水等の原水管、２は水栓、３はアルカリイオン整水器本体、４は浄水部、５は流量検知手段、６はカルシウム供給部、７は電解槽、８は隔膜、９及び１０は電極板、１１−１は排水管、１２は吐水管、１３は電源投入用プラグ、１４は電源部、１５はコントローラ、１６は操作表示部である。
【００２３】
次に、以上のように構成された本発明のアルカリイオン整水器本体３について、以下そのアルカリ水を生成する際の動作を説明する。利用者はアルカリ水生成モード、酸性水生成モードまたは浄水モード等所望の水質モードおよびｐＨ強度を操作表示部１６の所定のボタンを押下することにより選択し、水栓２を開いて通水を行なう。水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。一方、電源投入用プラグ１３からはＡＣ１００Ｖが供給され、電源部１４内のトランス及び制御用直流電源で電気分解に必要な直流電圧電流を発生させ、コントローラ１５を介して電解槽７の電極板９及び１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。尚、アルカリ水生成モード時においては電極板１０が陽極となり、電極板９が陰極となる。また酸性水生成モード時においては電極板９が陽極となり、電極板１０が陰極となる。さて、通水後コントローラ１５は流量検知手段５からの出力信号を読み取り、単位時間当たりにアルカリイオン整水器本体３に流れる流量レベルが一定量を越えるとこの状態を通水中と判断する。この時、すでに選択されている水質モードおよびｐＨ強度に応じた電気分解条件のもとコントローラ１５は電解槽７に対して所定の電力を供給する。これにより、アルカリ水生成モード時においては電極板９が陰極かつ電極板１０が陽極となり吐水管１２よりアルカリ水が吐出されると共に排水管１１−１より排水を排出する。酸性水生成モード時においては電極板９が陽極かつ電極板１０が陰極となり吐水管１２より酸性水が吐出されると共に排水管１１−１より排水を排出する。また、浄水モード時においては電極板９及び１０には電力が供給されず吐水管１２より浄水が吐出されると共に排水管１１−１より排水を排出する。
【００２４】
一方、使用者が所定量の水を得て、水栓２を閉じると、電解槽７内部の水は、排水管１１−１を通って外部へ排出される。
【００２５】
ここで、排水管１１−１は本体底部の切り欠きに対応したフック部を有する構造となっているため、本体底部に固定できる。
【００２６】
このとき、排水管１１−１の排水口の垂直方向の位置は、シンク天面よりも上に位置する。これにより、この排水を採水することが容易となる。また、排水口の垂直方向の位置が固定されていることで、吐水管１２の吐水口と排水管１１の排水口の垂直方向の位置の差が一定となるため、吐水と排水の流量比率を一定とすることができ、吐水ｐＨも安定させることができる。
【００２７】
また図２は、本発明の実施例１におけるアルカリイオン整水器の概略図であって、排水管１１−１の排水口の垂直方向の位置が電極板９と１０の最下位置よりも更に下方になるように配置されるものである。給水が止まった未使用状態時には電解槽７内の水は、排水
管１１−１から排水される。このとき、電解槽７内の水は排水管１１−１の排水口の垂直方向の位置と同じ水位まで、即ち、電極板９と１０の最下位置よりも下位となる水位になるまで排水される。よって、仮にこの未使用状態時に電気制御の故障等で電極板９と１０に電圧がかかったとしても電流が流れることは無いため、残り水の沸騰による事故等を防ぐことが出来る。
【００２８】
また図３は、本発明の実施例１におけるアルカリイオン整水器の概略図であって、排水管１１−１の排水口の垂直方向の位置が電解槽の水路の最下位置よりも更に下方になるように配置されるものである。この場合、給水が止まった未使用状態時には電解槽７内の水は排水管１１−１の排水口の垂直方向の位置と同じ水位まで排水されるため、電解槽７内には水がなくなる。よって電解槽内でこの残水に対して雑菌が繁殖すること、更には繁殖した水が吐水管１２から吐出することを防ぐことが出来る。
【００２９】
また図４は、本発明の実施例１におけるアルカリイオン整水器の本体底部からみた排水路のみを示した概略図であり、排水管１１−１へ繋がる電解槽７の排水路の先端が、本体底部の左右の中心に位置することを示したものである。これにより使用者は、状況に応じて、構成部品を交換することなく本機体の左右どちらにも排水管１１−１を配置させることが可能となる。この電解槽７の排水路の先端の位置は、図示する中心線上であればどこでもよい。またここで図示は省略するが、デザインや本体底部の形状によっては、排水管１１−１へ繋がる電解槽７の排水路の先端の位置が、本体底部の前後の中心、或いは左右、前後双方の中央に位置することで、先述のように構成部品を交換することなく排水管１１−１の配置を変えることが可能となる。
【００３０】
（実施例２）
図５は本発明の実施例２におけるアルカリイオン整水器の概略図であって、実施例１で示したものに対して、電解槽７の排水路の先端に接続される継手１１−２と、継手１１−２に接続される伸縮可能な排水ホース１１−３と、前記排水ホース１１−３に接続される継手１１−４と、前記継手１１−４に接続される排水管１１−１とで構成されていることが異なるものである。また、継手１１−４は本機体の本体底部に固定できるようにフック状の切り欠き部を備えている。また、前記排水ホース１１−３は伸縮可能なもので、例えば蛇腹構造や素材がゴム性のものである。
【００３１】
この構成により、電解槽７の排水路の先端位置が、本体底部の左右、又は前後、又はその双方の中央でない位置にあった場合でも、この排水ホース１１−３が伸縮可能であることで、使用者は状況に応じて、構成部品を交換することなく本機体の左右、前後どちらにも排水管１１−１を配置させることが可能となる。
【００３２】
（実施例３）
図６は本発明の実施例３におけるアルカリイオン整水器の本体底部からみた排水路のみを示した概略図であり、実施例１で示したものに対して、電解槽７の排水路の先端に接続される継手１１−２と、前記継手１１−２に接続される屈曲可能な排水ホース１１−３と、前記排水ホース１１−３に接続される継手１１−４と、前記継手１１−４に接続される排水管１１−１とで構成されていることが異なるものである。また、実施例２で示したものに対して、排水ホース１１−３は伸縮性を必ずしも必要としないことと、本体底部に屈曲した状態で収納されていることが異なるものである。また排水ホース１１−３は、継手１１−４が電解槽７の排水路の先端位置から最も離れた位置、つまり図６中に示す、距離Ａを有する位置に配置された時に、本体外郭に届くための距離Ａ以上の長さを有している。図７は、本発明の実施例３におけるアルカリイオン整水器の本体底部からみた排水路のみを示した概略図である。
【００３３】
この構成により、電解槽７の排水路の先端位置が、本体底部の左右、又は前後、又はその双方の中央でない位置にあった場合でも、この排水ホース１１−３が屈曲して収納されていることで、使用者は状況に応じて、構成部品を交換することなく本機体の左右、前後どちらにも排水管１１−１を配置させることが可能となる。
【００３４】
また、請求項７に記載する発明は、実施例３で示した排水ホース１１−３の内側にスプリングを入れたもので、排水ホース１１−３を屈曲して収納する際に、屈曲率が小さい場合でも排水ホース１１−３が潰れることを防ぐことが出来る。
【００３５】
また、請求項８に記載する発明は、前述のスプリングが自然長状態の時に隙間の無い密着巻きのものとしたことで、排水ホース１１−３を屈曲して収納する際に、屈曲率が小さい場合でも排水ホース１１−３が潰れることを防ぐことが出来るだけでなく、排水ホース１１−３を通る水が、隙間を有したスプリングを排水ホース１１−３に入れたときよりも乱流状態に成り難いために、通水抵抗が低い排水水路を構成することが可能になる。
【産業上の利用可能性】
【００３６】
本発明にかかるアルカリイオン整水器は、排水口の垂直方向の位置が、使用者の状況に関係無く固定されるように、排水路の最後に排水管を備え、その排水管を本体底部に固定できる手段を備えた構成としたことで、排水が採水しやすく、且つ使用者の設置状況に拠らず、電解槽内部の水を確実に排水できる事で、本体内の残水の沸騰や雑菌の繁殖を防ぐことのできる機能を有し、水道水等の原水を電気分解して、飲用、医療用として利用するアルカリイオン水及び化粧水、殺菌洗浄水等として利用する酸性イオン水を製造するためのアルカリイオン整水器等として有用である。
【図面の簡単な説明】
【００３７】
【図１】本発明の実施例１におけるアルカリイオン整水器の概略図
【図２】本発明の実施例１におけるアルカリイオン整水器の概略図
【図３】本発明の実施例１におけるアルカリイオン整水器の概略図
【図４】本発明の実施例１におけるアルカリイオン整水器の本体底部からみた排水路のみを示した概略図
【図５】本発明の実施例２におけるアルカリイオン整水器の概略図
【図６】本発明の実施例３におけるアルカリイオン整水器の本体底部からみた排水路のみを示した概略図
【図７】本発明の実施例３におけるアルカリイオン整水器の本体底部からみた排水路のみを示した概略図
【図８】従来のアルカリイオン整水器の概略構造図
【符号の説明】
【００３８】
１    原水管
２    水栓
３    アルカリイオン整水器本体
４    浄水部
５    流量検知手段
６    カルシウム供給部
７    電解槽
８    隔膜
９、１０    電極板
１１    排水ホース
１１−１    排水管
１１−２    継手
１１−３    排水ホース
１１−４    継手
１２    吐水管
１３    電源投入用プラグ
１４    電源部
１５    コントローラ
１６    操作表示部
【図１】
2005211744.tif 000003
【図２】
2005211744.tif 000004
【図３】
2005211744.tif 000005
【図４】
2005211744.tif 000006
【図５】
2005211744.tif 000007
【図６】
2005211744.tif 000008
【図７】
2005211744.tif 000009
【図８】
2005211744.tif 000010